(57)【要約】  化粧品容器内に内容物と共に流入する外部空気を圧縮した後、その圧縮空気により内容物を渦巻形態に吐出されながら微粒化できるようにキャップハウジング；ピストンハウジング；前記キャップハウジングとピストンハウジングとの間に形成される圧縮室；昇降しながら圧縮空気と内容物が排出されるように形成されるピストン；前記ピストンハウジングの内側面とピストンの外側面との間にピストン下降時には内容物と圧縮空気が排出され、昇降時には外部空気が圧縮室に流入するように形成される開閉部；及び前記ピストンの上端にノズル路が形成されて圧縮空気と一緒に内容物を渦巻形態に吐出して微粒化する微粒化部を含むように結合される押圧キャップ；を含む。  それによって、外部空気の圧縮に従う化粧品容器のサイズに制限を受けないで使用することができる効果と共に、安全性も高い効果を有する。
2019502412.tif 000002
【特許請求の範囲】
【請求項１】
化粧品容器の注入口に結合されるキャップハウジングと、
前記キャップハウジングの内部に底面に内容物が流入するチューブが結合され、内部にボールバルブ及びリターンスプリングが内蔵される通路が形成され、上部に外部空気の流入及び圧縮空気が排気される複数の出入孔が形成されて結合されるピストンハウジングと、
前記キャップハウジングの内側面と前記ピストンハウジングの外側面との間に外部空気が流入し、圧縮されるように形成される圧縮室と、
前記ピストンハウジングに挿入されて昇降しながら圧縮空気と内容物が排出されるように下部に形成された複数の流入孔と連結される排出路が内部に形成されるピストンと、
前記ピストンハウジングの内側面とピストンの外側面との間にピストン下降時には内容物と圧縮空気が排出され、昇降時には外部空気が圧縮室に流入するように形成される開閉部と、
前記ピストンの上端にノズル路が形成されて圧縮空気と共に内容物を渦巻形態に吐出して微粒化する微粒化部を含むように結合される押圧キャップと、
を含むことを特徴とする、化粧品容器のミストポンプ。
【請求項２】
前記開閉部はピストンの下端の外側面に形成される開閉突起、前記ピストンハウジングの内側面の下部に前記ピストンの下降時、前記開閉突起が位置して通路と排出路が連結されるように形成される開閉突起収容溝から構成されることを特徴とする、請求項１に記載の化粧品容器のミストポンプ。
【請求項３】
前記微粒化部はノズル路の前方に前面として形成される吐出ポート、前記吐出ポートが形成された内側背面に互いに対応する形態の所定角度で形成される複数の噴射路、前記噴射路と連結されるように側面に複数の案内路が形成されて前記押圧キャップにより固定されるノズルキャップ、前記ノズルキャップの吐出ポートの反対側に結合されてノズル路からの圧縮空気と内容物が前記複数の案内路に流入するように複数の通過孔が形成されて固定されるエンドキャップを含むことを特徴とする、請求項１に記載の化粧品容器のミストポンプ。
【請求項４】
前記吐出ポートには複数の噴射路を通じて数々の方向から吐出されるように供給される圧縮空気と内容物が渦流形態にぐるぐる回って合わせられた後、吐出されるように形成される傾斜面をさらに含むことを特徴とする、請求項３に記載の化粧品容器のミストポンプ。 
【発明の詳細な説明】
【技術分野】
【０００１】
本発明は化粧品容器のミストポンプに関し、より詳しくは、化粧品容器の内に内容物と共に圧縮ガスを充填して使用するものでなく、ポンピングに従う流入する外部空気を圧縮した後、その圧縮空気により内容物を供給すると共に、特に、内容物が渦巻形態に吐出しながら微粒化できるようにした化粧品容器のミストポンプに関する。
【背景技術】
【０００２】
一般に、液体またはゲル状態の化粧品を貯蔵及び保管するように使われる化粧品容器は、その注入口上に内容物を外部に円滑に排出させることができるようにポンピング手段が設けられる。
【０００３】
このような化粧品容器に設けられるポンプは、内容物を一定量ずつ外部に排出する機能を有することによって使用の便利性と内容物の多過ぎる排出を抑制して浪費を減らすことができるように多様な形態の構造が提案されて使われる。
【０００４】
通常的なポンプは容器の注入口に結合される下部キャップと前記下部キャップの上部に上部キャップが組み立てられた状態で上部キャップのポンピング動作によって上下往復動するピストンにより内容物の流入口に位置したチェックバルブが選択的に開閉されながら容器内に収容された内容物がノズルを通じて一定量ずつ外部に吐出する構造を有する。
【０００５】
上記のように化粧品容器に洗剤やシャンプなどのような比較的粘度の高い流体をポンピングするために設けられるポンプと関連した先行技術には、大韓民国登録実用新案第２０−０３１２９０３号、大韓民国登録実用新案第２０−０３２７５２５号、大韓民国登録実用新案第２０−０４５９６５５号などに掲載されたことがある。
【０００６】
このような比較的粘度の高い流体をポンピングするために設けられるポンプは、高い圧力でポンピングと共にポンピング時とポンピング後の内容物の流出を防止するための比較的複雑な構造を有する。
【０００７】
一方、化粧品容器に水分やスキンまたは香水などの液状の内容物をポンピングするために設けられるポンプと関連した先行技術には、大韓民国登録実用新案第２０−０２８２７４７号、大韓民国登録実用新案第２０−０２８１９２７号、及び大韓民国登録特許第１０−１１４０３８０号などに掲載されたことがある(以下、‘先行技術文献’という)。
【先行技術文献】
【特許文献】
【０００８】
【特許文献１】大韓民国登録実用新案第２０−０３１２９０３号
【特許文献２】大韓民国登録実用新案第２０−０３２７５２５号
【特許文献３】大韓民国登録実用新案第２０−０４５９６５５号
【特許文献４】大韓民国登録実用新案第２０−０２８２７４７号
【特許文献５】大韓民国登録実用新案第２０−０２８１９２７号
【特許文献６】大韓民国登録特許第１０−１１４０３８０号
【発明の概要】
【発明が解決しようとする課題】
【０００９】
しかしながら、先行技術文献１は液状の内容物をポンピングして吐出するためには化粧品容器に内容物と共に圧縮ガスを一緒に充填して使用するようになるが、それによって化粧品容器の体積が大きくなる短所を有する。
【００１０】
それによって、小型化粧品容器を使用時には何度使用できないという不便な短所も有する。
【００１１】
特に、飛行機などに搭乗時、圧縮ガスが充填された容器を持って搭乗できない規制による制約も受ける。
【００１２】
前記のような従来の諸問題を解決するための本発明の主な解決課題は、化粧品容器内に内容物と共に圧縮ガスを充填して使用するものでなく、ポンピングに従う流入する外部空気を圧縮した後、その圧縮空気により内容物を供給すると共に、特に、内容物が渦巻形態に吐出されながら微粒化できるようにした化粧品容器のミストポンプを提供することにある。
【００１３】
本発明を解決するための他の解決課題は、内容物の微粒化をより促進させることができるようにすることにある。
【課題を解決するための手段】
【００１４】
前記のような技術的課題を解決するための本発明の技術的解決手段は、化粧品容器の注入口に結合されるキャップハウジング；前記キャップハウジングの内部に底面に内容物が流入するチューブが結合され、内部にボールバルブ及びリターンスプリングが内蔵される通路が形成され、上部に外部空気の流入及び圧縮空気が排気される複数の出入孔が形成されて結合されるピストンハウジング；前記キャップハウジングの内側面と前記ピストンハウジングの外側面との間に外部空気が流入し、圧縮されるように形成される圧縮室；前記ピストンハウジングに挿入されて昇降しながら圧縮空気と内容物が排出されるように下部に形成された複数の流入孔と連結される排出路が内部に形成されるピストン；前記ピストンハウジングの内側面とピストンの外側面との間にピストン下降時には内容物と圧縮空気が排出され、昇降時には外部空気が圧縮室に流入するように形成される開閉部；及び前記ピストンの上端にノズル路が形成されて圧縮空気と共に内容物を渦巻形態に吐出して微粒化する微粒化部を含むように結合される押圧キャップ；を含む。
【００１５】
前記開閉部は、ピストンの下端の外側面に形成される開閉突起、前記ピストンハウジングの内側面の下部に前記ピストンの下降時、前記開閉突起が位置して通路と排出路が連結されるように形成される開閉突起収容溝から構成される。
【００１６】
前記微粒化部はノズル路の前方に前面として形成される吐出ポート、前記吐出ポートが形成された内側背面に互いに対応する形態の所定角度で形成される複数の噴射路、前記噴射路と連結されるように側面に複数の案内路が形成されて前記押圧キャップにより固定されるノズルキャップ、前記ノズルキャップの吐出ポートの反対側に結合されてノズル路からの圧縮空気と内容物が前記複数の案内路に流入するように複数の通過孔が形成されて固定されるエンドキャップを含む。
【００１７】
前記吐出ポートには複数の噴射路を通じて数々の方向から吐出するように供給される圧縮空気と内容物が渦流形態にぐるぐる回って合わせられた後、吐出されるように形成される傾斜面をさらに含む。
【発明の効果】
【００１８】
本発明は化粧品容器内に内容物と共に圧縮ガスを充填して使用するものでなく、ポンピングに従う流入する外部空気を圧縮した後、その圧縮空気により内容物を供給すると共に、特に、内容物が渦巻形態に吐出されながら微粒化できるようにすることによって、外部空気の圧縮に従う化粧品容器のサイズに制限を受けないで使用することができる効果と共に、安全性も高いという効果を有する。
【００１９】
また、微粒化された内容物を渦巻形態に吐出することによって、比較的遠い距離まで均一に吐出できる効果も有する。
【００２０】
また、内容物の微粒化をより促進させることができるようにすることによって、ユーザをして使用の便利性を一層高めることができる効果も有する。
【図面の簡単な説明】
【００２１】
【図１】本発明を説明するための断面図である。
【図２】図１に従う内容物が吐出される状態を説明するための使用状態の断面図である。
【図３】図１に従う微粒化部のノズルキャップを説明するための一部切欠斜視図である。
【図４】図３に従う側断面図である。
【発明を実施するための形態】
【００２２】
以下、本発明の好ましい実施形態を添付した図面を参考にしてより詳細に説明すると、次の通りであり、本発明が実施形態により制限または限定されるものではない。
【００２３】
図１は本発明の説明するための断面図であり、図２は図１に従う内容物が吐出する状態を説明するための使用状態の断面図であり、図３は図１に従う微粒化部のノズルキャップを説明するための一部切欠斜視図であり、図４は図３に従う側断面図である。
【００２４】
図示したように、通常的な化粧品容器に水分やスキンまたは香水などの液状の内容物をポンピングして微粒化された状態で吐出するポンプ１を提示する。
【００２５】
本発明は化粧品容器内に内容物と共に圧縮ガスを充填して使用するものでなく、ポンピング従う流入する外部空気を圧縮した後、その圧縮空気により内容物を供給すると共に、特に、内容物が渦巻形態に吐出されながら微粒化できるようにすることにある。
【００２６】
本発明に従うポンプ１は、化粧品容器Ｃの注入口に通常的なねじ結合方式またはワンタッチ方式により結合されるキャップハウジング１０と；前記キャップハウジング１０の内部に底面に内容物が流入するチューブ２１が結合され、内部に通常的なボールバルブ２２及びリターンスプリング２４が内蔵される通路２８が形成され、上部に外部空気の流入及び圧縮空気が排気される複数の出入孔２６が形成されて結合されるピストンハウジング２０と；前記キャップハウジング１０の内側面と前記ピストンハウジング２０の外側面との間に外部空気が流入し、圧縮されるように形成される圧縮室３０と；前記ピストンハウジング２０に挿入されて昇降しながら圧縮空気と内容物が排出されるように下部に形成された複数の流入孔４２と連結される排出路４４が内部に形成されるピストン４０を含む。
【００２７】
ピストンハウジングとピストンは通常的なピストンハウジングに形成される溝上でピストンハウジングの上部が挿入されるように通常的な方式により組み立てられる。
【００２８】
圧縮室は、キャップハウジングとピストンハウジングとの間と一緒に前記キャップハウジングに結合される化粧品容器の上端の間に形成される。
【００２９】
ピストンは、下部がピストンハウジングの通路に挿入され、底面にリターンスプリングが当接して支持できるように支持口が結合固定される。
【００３０】
そして、前記ピストンハウジング２０の内側面とピストン４０の外側面との間にピストン４０の下降時には内容物と圧縮空気が排出され、昇降時には外部空気が圧縮室３０に流入するように形成される開閉部５０；及び前記ピストン４０の上端にノズル路６１が形成されて圧縮空気と一緒に内容物を渦巻形態に吐出して微粒化する微粒化部６５を含むように結合される押圧キャップ６０；を含む。
【００３１】
開閉部５０は、ピストン４０の下端の外側面に形成される開閉突起５２と、前記ピストンハウジング２０の内側面の下部に前記ピストン４０の下降時、前記開閉突起５２が位置して通路２８と排出路４４が連結されるように形成される開閉突起収容溝５４とから構成される。この際、前記開閉突起はピストンの下端に一体に形成できることは勿論、図示したように、別途にリングハウジングに開閉突起が形成された形態に製作してピストンの下端に通常的な方式により結合固定することが好ましい。
【００３２】
微粒化部６５は、ノズル路６１の前方に前面として形成される吐出ポート６６と、前記吐出ポート６６が形成された内側の背面に互いに対応する形態の所定角度で形成される複数の噴射路６７と、前記噴射路６７と連結されるように側面に複数の案内路６７Ａが形成されて前記押圧キャップ６０に固定されるノズルキャップ６８と、前記ノズルキャップ６８の吐出ポート６６の反対側に結合されてノズル路６１からの圧縮空気と内容物が前記複数の案内路６７Ａに流入するように複数の通過孔６９Ａが形成されて固定されるエンドキャップ６９を含む。
【００３３】
即ち、前記噴射路は背面から突出した突出段と突出段との間に吐出ポートを基準して風車のような所定の角度を有するように形成されることによって、案内路を通じて流入する各圧縮空気と内容物が渦巻形態に吐出ポートを通じて吐出される。この際、各噴射路を通じて各圧縮空気と内容物が衝突により微粒化されながら吐出圧力により渦巻形態に吐出される。
【００３４】
案内路もノズルキャップの側面に前記噴射路に円滑に案内する通常的なガイド溝形態に形成されて、ノズル路を経た圧縮空気と内容物を案内路を通じて噴射路への案内が円滑になされることができる。
【００３５】
併せて、微粒化部をノズルキャップとエンドキャップで形成することは、成形性と加工性が優れるになされることができるようにするためのものである。即ち、ノズルキャップを分離された形態に形成することによって、それに形成される噴射路と案内路の加工や成形が容易になされることができる条件を有する。
【００３６】
そして、前記ノズルキャップは押圧キャップと通常的な突起と溝形態に組み立てでき、公知のねじ結合方式などにより組み立てても関係ない。
【００３７】
一方、前記吐出ポート６６には複数の噴射路６７を通じて数々の方向から吐出されるように供給される圧縮空気と内容物が渦流形態にぐるぐる回って合わせられた後、吐出されるように形成される傾斜面６６Ａをさらに含む。
【００３８】
言い換えると、吐出ポートの噴射路と接した部分に傾斜面として形成することによって、各噴射路を通じて移動される圧縮空気と内容物が前記傾斜面を乗って互いに衝突されながら微粒化と共に、より円滑に渦巻形態に回転しながら吐出がなされるようになる。
【００３９】
それによって、渦巻形態に回転しながら吐出する微粒化された内容物はより遠い距離まで吐出がなされることによって、内容物がユーザに均等に分布できるようにする条件も有するようになる。
【００４０】
上記のように構成された本発明は、まず押圧キャップとキャップハウジングの隙間の間とピストンとピストンハウジングの隙間の間に流入する外部空気は、ピストンハウジングに形成された出入孔を経て圧縮室に流入する。
【００４１】
このように、圧縮室に流入した外部空気は押圧キャップの押圧と共にピストンハウジングで下降するピストンにより圧縮され、この際、開閉部の開閉突起はピストンハウジングの内側面と当接して下降する。
【００４２】
ピストンが下降しながら開閉突起はピストンハウジングの開閉突起収容溝に位置した時、通路と排出路が互いに連結されると共に、出入孔と流入孔も対応する位置に位置しながら圧縮室内の圧縮空気は出入孔と流入孔を経て排出路を通じてノズル路に通じて微粒化部の案内路と噴射路及び吐出ポートを通じて吐出される。この際、圧縮空気が移動して吐出する過程で、その吐出圧力によりチューブと通路に流入する内容物も前記圧縮空気と一緒に混合されながら圧縮空気のような経路に吐出しながら微粒化部により微粒化されて吐出される。
【００４３】
微粒化部を通じて内容物の微粒化はノズル路でエンドキャップの通過孔を経た圧縮空気と内容物は案内路を経て吐出ポートに所定角度で形成される噴射路により渦巻形態に互いに衝突と共に微粒されながら吐出ポートに回転力により吐出されるものである。
【００４４】
それによって、微粒化された内容物は渦巻形態に回転される回転力により比較的遠い距離まで吐出がなされることができる。
【００４５】
さらに、吐出ポートに形成された傾斜面により圧縮空気と内容物が吐出される過程で各噴射路を通じて移動される圧縮空気と内容物が前記傾斜面を乗って互いに衝突されながら微粒化と共に、より円滑に渦巻形態に回転されながら吐出がなされることによって、微粒化された内容物はより遠い距離まで吐出がなされることができる条件を有する。
【００４６】
これによって、本発明は内容物を微粒化された状態で吐出する過程で圧縮ガスを使用するものでなく、ポンピング作動により外部空気を流入して圧縮した後、その圧縮された圧縮空気により内容物を微粒化部により微粒化させて吐出することによって、化粧品容器のサイズに制限を受けないで使用することができる長所を有する。
【００４７】
また、微粒化して吐出する過程で渦巻形態に吐出がなされることができるようにすることによって、比較的遠い距離まで内容物を均一に吐出することができる条件も有する。
【図１】
2019502412.tif 000003
【図２】
2019502412.tif 000004
【図３】
2019502412.tif 000005
【図４】
2019502412.tif 000006
【国際調査報告】
2019502412.tif 000007
2019502412.tif 000008
2019502412.tif 000009
2019502412.tif 000010